(57)【要約】【課題】  電力と洗剤を不要とし、かつ多大な労力を必要としない簡便で安価な洗濯機の実現手段を見出す。【解決手段】  水道等の給水手段によって供給された水は、熱交換器を介して排水からの熱を回収し、次に太陽熱等の加熱手段により加熱されて十分に高い温度で洗濯槽に注がれる。洗濯槽内に加熱水が満杯になると開閉弁が閉じられ、洗濯槽内の圧力は給水手段の圧力まで十分に高められる。かくして、電力と洗剤を不要とする洗濯機の実現という課題が解決された。【選択図】図１
2005323795.tif 000002
【特許請求の範囲】
【請求項１】
給水手段１、熱交換器２、該熱交換器と前記給水手段１とを連結するパイプ３、熱交換器４、該熱交換器と前記熱交換器２とを連結するパイプ５、前記給水手段１から給水された水を前記熱交換器４を介して加熱する加熱手段６、切り替え弁７、該切り替え弁と前記熱交換器４とを連結するパイプ８、開閉自在の投入口９と上部に開閉弁１０を有する洗濯槽１１、該洗濯槽と前記切り替え弁７を連結する連結具１２、前記熱交換器２を内蔵し排出孔１３を有する排水槽１４、前記洗濯槽１１からの排水を前記切り替え弁７を介して前記排水槽１４に排水するための排水手段１５、前記洗濯槽を回動自在あるいは揺動自在あるいは固定的に支持する支持具１６から成る洗濯機。
【請求項２】
粒状あるいは粉末状あるいは膜状の焦電体が、直接または担持手段を介して洗濯槽内部に塗布あるいは保持されていることを特徴とする請求項１記載の洗濯機。
【発明の詳細な説明】
【技術分野】
【０００１】
本発明は洗濯機に関するものである。
【背景技術】
【０００２】
広く普及している電気洗濯機は、周知の如く洗濯槽内に被洗濯物と水と洗剤とを投入し、電動モーターによる攪拌あるいは電動ポンプによる噴流を生じさせる等の手段により被洗濯物の汚れを取り除くものである。
【０００３】
一方、電力を使わない洗濯機は古来から存在する。洗濯槽内に被洗濯物と水と洗剤を投入し、攪拌棒を手動で動かす方式や、洗濯槽自体を手動で回転する方式が広く普及していたが、多大な労力を伴うことが嫌われて、電気洗濯機にとって変わられた。
【０００４】
温度と圧力が高いほど洗浄効果が高まることは周知のことであるが、この原理を利用した、電力を使わない方式も１9００年代中ごろに実用化されている。この方式では、水密性・耐圧性の容器に被洗濯物と湯と洗剤を投入してから容器を密閉し、容器ごと手動で回転させる。容器内の空気が湯に温められることにより、容器内に圧力が発生する。しかしながら、圧力上昇は密閉前後の容器内空気の絶対温度の比に比例する程度に留まるために、洗剤を不要にするまでには至っていない。
【０００５】
温度と圧力を高めるために電力やガスを使う方式は、病院におけるオートクレーブに代表されるように、産業用や業務用の特殊な用途では今日でも広く使われているが、装置が効果であり、燃料費消費量も大きいために、一般家庭の洗濯機として使われる例は見られない。
【０００６】
洗剤を使わずに有機溶剤や超純水を使う方式は、クリーニング店のドライクリーニングや半導体工場のデバイス洗浄に代表されるように、業務用・産業用では広く使われているが、一般家庭の洗濯に使われる例は見受けられない。
【０００７】
近年、電気洗濯機の普及に伴い、消費される電力と水は膨大な量になってきた。また、洗濯排水に含まれる洗剤の量も膨大になり、少なからぬ環境問題を引き起こしている。このような事情から、超音波を併用する、あるいは水質を改良する等により、電力、水あるいは洗剤の消費量を低減する技術改良が近年になって鋭意為されているが、電力と洗剤を不要にするには至っていない。
【特許文献１】実用新案公開平６−３８８８４
【特許文献２】特許公開２００１−１９８３９２
【特許文献３】特許公開２００２−１８１８９
【特許文献４】特許公開２００２−３６０９６５
【特許文献５】特許公開２００３−１９３８２
【特許文献６】特許公開２００３−２４５４９７
【発明の開示】
【発明が解決しようとする課題】
【０００８】
本発明は上記の事情に鑑み為されたもので、その解決しようとする課題は、電力と洗剤を不要とする洗濯機の実現手段を見出すことである。
【課題を解決するための手段】
【０００９】
本発明では、水道等の給水手段によって供給された水は、熱交換器を介して排水からの熱を回収し、次に太陽熱等の加熱手段により加熱されて十分に高い温度で洗濯槽に注がれる。洗濯槽内に加熱水が満杯になると開閉弁が閉じられ、洗濯槽内の圧力は給水手段の圧力まで十分に高められる。かくして、電力と洗剤を不要とする洗濯機の実現手段という課題が解決された。
【発明の効果】
【００１０】
本発明により、電力と洗剤を不要とする洗濯機が実現できた。構造が簡便であるために、一般家庭での洗濯という目的にも実用的に耐えられる。洗剤が不要となることにより、すすぎ工程も不要となり、水資源の節約に資することにも繋がる。
【発明を実施するための最良の形態】
【００１１】
給水手段としては水道が最良である。高層ビルの上層階を除けば、水道圧力は目的とする圧力に十分である。水道圧が低い、あるいは水道の便が悪い等の特殊な場合には送水ポンプ等の給水手段が使われる。
【００１２】
加熱手段としては密閉型の太陽熱温水器が最良である。一般家庭用の洗濯機の場合を例にとると、受光面積は１平方メートル程度で十分な熱量が得られるが、８０℃以上の高温が望ましいので、受光面積に較べて密閉水量を少な目に設計する。太陽熱に替わる加熱手段としては電気ヒーターやガスヒーターが簡便である。日照条件が悪い場合のスタンバイシステムとして太陽熱温水器とヒーターを組み合わせてもよい。
【００１３】
切り替え弁としては、三方弁が望ましい。洗濯槽への給水と洗濯槽からの排水がワンタッチで切り替えられて簡便である。二方弁を２個使ってもよいが、装置と手間が複雑になるために好ましくない。
【００１４】
洗濯槽は水圧に耐えるために、形状としては球形または円筒形が好ましい。材質はステンレスあるいはアルミニウム等の金属もしくは強化プラスチックが望ましい。洗濯時間は極く短時間であるために、洗濯槽の断熱性は必須条件ではないが、エネルギーを節約のためには、外面への断熱材の付設も効果的である。
【００１５】
投入口は、扉が洗濯槽の内側をスライドして開閉する形が最も好ましい。この方式により、洗濯槽内の圧力が高くなるほど扉の密閉性が高まって好都合である。外開き式の扉でも構わないが、この場合には、ジャビソンハンドルのような圧着型の締め付け具を用いる。他の形式としては、ねじ止め式の蓋を用いる方法等がある。
【００１６】
開閉弁としては、フローとバルブを洗濯槽最上部に設けるのが最良である。これにより、給水が開始されて水位が上がる間は開放状態になって、給水を妨げない。水位が満杯に近くなると自動的に閉鎖状態になって、洗濯槽内の圧力上昇を妨げない。排水時には自動的に開放状態になって、排水を妨げない。手動の開閉弁または蓋でも構わないが、操作が煩雑になるので好ましくない。
【００１７】
排水槽としては、排水孔以外は密閉された形状が望ましい。洗濯槽からの排水が排水槽最下部に注がれ、最上部に設けられた排水孔からオーバーフローする形が最良である。排水槽に貯めた温水の熱を翌日に使うという場合も多いので、排水槽は十分に断熱処理が施されることが望ましい。
【００１８】
十分に高い温度と圧力を確保できる場合は、洗濯槽を動かす必要は無いので、洗濯槽支持具は固定的架台でよいが、温度あるいは圧力が不十分な場合には揺すりを加えることが効果的である。このために、支持具は、洗濯層を回転あるいは揺動できるように、洗濯槽を回動自在あるいは揺動自在に支承する構造とする。
【００１９】
洗濯槽と排水槽と支持具の関係は、夫々独立している形が、メインテナンスの簡便性を考えると最良であるが、合体して排水槽が支持具を兼ねる構造でも構わない、メインテナンスには難点があるが装置全体のコンパクトさという利点がある。
【００２０】
洗濯槽内に塗布あるいは担持体を介して保持する焦電体としては微粒状にしたトルマリンが最良であるが、焦電性を有する材料であればこれに拘らない。トルマリンの粒径は３ミクロン程度が最も好ましいがそれ以外でも構わない。焦電体は水との接触面積を大きくするほど効果が大きいので、洗濯槽内面全体に塗布するか、担持体で担持して洗濯槽内を複数個浮遊させる方式が効果的である。
【産業上の利用可能性】
【００２１】
本発明になる洗濯機は、主としてエコロジー派の一般家庭用で用いられる目的で製造販売される。特殊な目的としてはキャンプ場等のアウトドア目的、山小屋等の電力不通地域でも用途にも供される。
【図面の簡単な説明】
【００２２】
【図１】本発明になる洗濯機の基本構造図である。
【符号の説明】
【００２３】
１    給水手段
２    熱交換器
３    パイプ
４    熱交換器
５    パイプ
６    加熱手段
７    切替弁
８    パイプ
９    投入口
１０    開閉弁
１１    洗濯槽
１２    連結手段
１３    排水孔
１４    排水槽
１５    排水手段
１６    支持具
１７    逆流防止弁
１８    焦電体
【図１】
2005323795.tif 000003